(57)【要約】【課題】駆動トランジスターのゲートの電位の変動を抑制する。【解決手段】各画素回路は、電極ｅ1および電極ｅ2を含む容量素子Ｃと、電極ｅ2に接続されたゲートの電位ＶGに応じた駆動電流ＩDRを生成する駆動トランジスターＴDRと、駆動電流の供給で発光する発光素子Ｅと、選択トランジスターＱSLとを含む。駆動回路は、選択トランジスターＱSLをオン状態とする期間の一部又は全部において、指定階調に応じた階調電位を信号線１４から第１電極ｅ1に供給し、第１電極ｅ1に第１基準電位ＶST1を供給した状態で、選択トランジスターＱSLをオン状態からオフ状態に遷移させる。【選択図】図８
2013057701.tif 000002
【特許請求の範囲】
【請求項１】
第１電極および第２電極を含む容量素子と、前記第２電極に接続されたゲートの電位に応じた駆動電流を生成する駆動トランジスターと、信号線と前記第１電極との間に介在し走査線にゲートが接続される選択トランジスターと、前記駆動電流の供給で発光する発光素子とを含む画素回路を具備する電気光学装置の駆動方法であって、
前記選択トランジスターをオン状態とする期間の一部又は全部において、指定階調に応じた階調電位を前記信号線から前記第１電極に供給し、
前記第１電極に第１電位を供給した状態で、前記選択トランジスターをオン状態からオフ状態に遷移させるように前記走査線に走査信号を供給する、
電気光学装置の駆動方法。
【請求項２】
前記階調電位を前記信号線から前記第１電極に供給する書込期間において、前記駆動トランジスターをダイオード接続することを特徴とする請求項１に記載の電気光学装置の駆動方法。
【請求項３】
前記駆動トランジスターをダイオード接続する補償期間中に前記書込期間があり、
前記補償期間より前の初期化期間において、前記選択トランジスターをオフ状態とし、前記第１電極に前記第１電位を供給するとともに前記第２電極に第２電位を供給する、
ことを特徴とする請求項２に記載の電気光学装置の駆動方法。
【請求項４】
前記階調電位を信号線から前記第１電極に供給する書込期間において、第２電位を前記駆動トランジスターのゲートに供給することを特徴とする請求項１に記載の電気光学装置の駆動方法。
【請求項５】
前記電気光学装置は、複数の前記画素回路を具備し、
前記書込期間において、前記各画素回路に対応する複数の信号線の各々に時分割で階調電位を供給するとともに、前記第２電位が供給される第２給電線を前記複数の画素回路の各々における駆動トランジスターのゲートに電気的に接続し、
前記書込期間が終了した後の補償期間において、前記第２給電線と前記複数の画素回路の各々における駆動トランジスターのゲートとを電気的に開放するとともに、前記複数の画素回路の各々における駆動トランジスターをダイオード接続する、
請求項４に記載の電気光学装置の駆動方法。
【請求項６】
画素回路と駆動回路とを具備する電気光学装置であって、
前記画素回路は、
第１電極および第２電極を含む容量素子と、
前記第２電極に接続されたゲートの電位に応じた駆動電流を生成する駆動トランジスターと、
前記駆動電流の供給で発光する発光素子と、
信号線と前記第１電極との間に介在し走査線にゲートが接続される選択トランジスターと、
第１電位が供給される第１給電線と前記第１電極との間に介在し、オン状態とオフ状態との一方に制御される第１スイッチとを含み、
前記駆動回路は、
前記選択トランジスターをオン状態とする期間の一部又は全部において、指定階調に応じた階調電位を前記信号線から前記第１電極に供給し、前記第１スイッチをオフ状態とし、
前記第１スイッチをオン状態とし前記第１電極に第１電位を供給した状態で、前記選択トランジスターをオン状態からオフ状態に遷移させるように前記走査線に走査信号を供給する、
ことを特徴とする電気光学装置。
【請求項７】
請求項６に記載の電気光学装置を具備する電子機器。
【発明の詳細な説明】
【技術分野】
【０００１】
本発明は、有機ＥＬ（Electroluminescence）素子などの発光素子を駆動する技術に関する。
【背景技術】
【０００２】
発光素子に供給される駆動電流をトランジスター（以下「駆動トランジスター」という）で制御する電気光学装置においては、駆動トランジスターの電気的な特性の誤差（設計値からの相違や素子間のばらつき）が問題となる。特許文献１には、駆動トランジスターの閾値電圧の誤差を補償するための技術が開示されている。
【０００３】
図１５に特許文献１の画素回路を示す。この画素回路Ｐでは、駆動トランジスターＴｄｒがトランジスターＴＲ3を介してダイオード接続されることで駆動トランジスターＴｄｒのゲートの電位が閾値電圧ＶTHに応じた電位(Ｖel−ＶTH)に設定される。そして、駆動トランジスターＴｄｒのダイオード接続が解除され、走査信号ＧＷＲＴがアクティブになると、駆動トランジスターＴｄｒのゲートに表示すべき階調に応じた電位が書き込まれる。ここで、駆動トランジスターＴｄｒのゲートの電位は、走査信号ＧＷＲＴがアクティブから非アクティブに変化し、選択トランジスターＴＲ1がオンからオフに変化するタイミングで確定する。
【先行技術文献】
【特許文献】
【０００４】
【特許文献１】特開２０１０−２６２２５１号公報
【発明の概要】
【発明が解決しようとする課題】
【０００５】
ところで、選択トランジスターＴＲ1のゲートとノードＺ１との間には、寄生容量が存在する。このため、選択トランジスターＴＲ1がオンからオフに変化する際に、走査線の電位変動が寄生容量を介してノードＺ１に伝わり、駆動トランジスターＴｄｒのゲート電位が変動するフィールドスルーと呼ばれる現象が生ずる。各画素回路における寄生容量の大きさは、選択トランジスターＴＲ1の製造プロセスによってばらつく。したがって、フィールドスルーによる駆動トランジスターＴｄｒのゲート電位の変化も各画素回路でばらつくことになる。この結果、従来の技術には、画面全体に輝度むらが発生するといった問題があった。
【０００６】
この問題を解決するために、キャパシターＣ１〜Ｃ３の容量値を大きくすることも考えられるが、高精細な画面を表示するため、画素回路のピッチを狭くすると、コンデンサＣ１〜Ｃ３の面積を確保することが困難になる。また、コンデンサＣ１〜Ｃ３を画素回路内に配置できたとしても、コンデンサＣ１〜Ｃ３においてショートが発生し易くなり、歩留りが低下する懸念がある。
本発明は上述した事情に鑑みたものであり、画素回路の内部のコンデンサの容量値を大きくせずに、フィードスルーに起因する輝度ムラを抑制することなどを解決課題とする。
【課題を解決するための手段】
【０００７】
以上の課題を解決するために、本発明に係る電気光学装置の駆動方法は、第１電極および第２電極を含む容量素子と、前記第２電極に接続されたゲートの電位に応じた駆動電流を生成する駆動トランジスターと、信号線と前記第１電極との間に介在し走査線にゲートが接続される選択トランジスターと、前記駆動電流の供給で発光する発光素子とを含む画素回路を具備する電気光学装置を駆動する方法であって、前記選択トランジスターをオン状態とする期間の一部又は全部において、指定階調に応じた階調電位を前記信号線から前記第１電極に供給し、前記第１電極に第１電位を供給した状態で、前記選択トランジスターをオン状態からオフ状態に遷移させるように前記走査線に走査信号を供給することを特徴とする。
【０００８】
この発明によれば、選択トランジスターがオン状態からオフ状態に遷移するタイミングで第１電極には第１電位が供給されている。選択トランジスターのゲートと第１電極とは寄生容量を介してカップリングしているが、選択トランジスターのゲート電位が変化しても第１電極には第１電位が供給されているので、選択トランジスターのフィードスルーに起因する第１電極の電位の変動が抑制される。
【０００９】
上述した電気光学装置の駆動方法において、前記階調電位を前記信号線から前記第１電極に供給する書込期間において、前記駆動トランジスターをダイオード接続することが好ましい。この発明によれば、駆動トランジスターをダイオード接続することによって、駆動トランジスターの閾値電圧を補正することができる。よって、製造プロセスで駆動トランジスターの閾値電圧がばらついても正確な階調表示が可能となる。
【００１０】
上述した電気光学装置の駆動方法において、前記駆動トランジスターをダイオード接続する補償期間中に前記書込期間があり、前記補償期間より前の初期化期間において、前記選択トランジスターをオフ状態とし、前記第１電極に前記第１電位を供給するとともに前記第２電極に第２電位を供給することが好ましい。この発明によれば、階調電位を書き込む前に、容量素子に印加される電圧を一定にできるので、直前に書き込まれた階調電位の影響を受けることなく、正確な階調電位を書き込むことが可能となる。
【００１１】
上述した電気光学装置の駆動方法において、前記階調電位を信号線から前記第１電極に供給する書込期間において、第２電位を前記駆動トランジスターのゲートに供給することが好ましい。この発明によれば、書込期間では駆動トランジスターのゲートに第２電位が供給されるので、第１電極に階調電位が供給されても容量素子を介してカップリングしている駆動トランジスターのゲートの電位が変動するのを抑制できる。
【００１２】
上述した電気光学装置の駆動方法において、前記電気光学装置は、複数の前記画素回路を具備し、前記書込期間において、前記各画素回路に対応する複数の信号線の各々に時分割で階調電位を供給するとともに、前記第２電位が供給される第２給電線を前記複数の画素回路の各々における駆動トランジスターのゲートに電気的に接続し、前記書込期間が終了した後の補償期間において、前記第２給電線と前記複数の画素回路の各々における駆動トランジスターのゲートとを電気的に開放するとともに、前記複数の画素回路の各々における駆動トランジスターをダイオード接続する、ことが好ましい。この発明によれば、書込期間においては、時分割で複数の画素回路に階調電位を書き込み、その後の補償期間において、駆動トランジスターをダイオード接続するので、駆動トランジスターの閾値電圧を補正することができる。さらに、階調電位を書き込みによって駆動トランジスターのゲート電位が変動することもないので、正確に閾値電圧を補正することが可能となる。
【００１３】
次に、本発明に係る電気光学装置は、画素回路と駆動回路とを備え、前記画素回路は、
第１電極および第２電極を含む容量素子と、前記第２電極に接続されたゲートの電位に応じた駆動電流を生成する駆動トランジスターと、前記駆動電流の供給で発光する発光素子と、信号線と前記第１電極との間に介在し走査線にゲートが接続される選択トランジスターと、第１電位が供給される第１給電線と前記第１電極との間に介在し、オン状態とオフ状態との一方に制御される第１スイッチとを含み、前記駆動回路は、前記選択トランジスターをオン状態とする期間の一部又は全部において、指定階調に応じた階調電位を前記信号線から前記第１電極に供給し、前記第１スイッチをオフ状態とし、前記第１スイッチをオン状態とし前記第１電極に第１電位を供給した状態で、前記選択トランジスターをオン状態からオフ状態に遷移させるように前記走査線に走査信号を供給する、ことを特徴とする。
【００１４】
この発明によれば、選択トランジスターのゲートと第１電極とは寄生容量を介してカップリングしているが、選択トランジスターのゲート電位が変化しても第１電極には第１電位が供給されているので、第１電極の電位の変動を抑制される。これにより、容量素子を介して選択トランジスターのゲート電位が変動することを抑制し、正確な階調を表示することが可能となる。
【００１５】
次に、本発明に係る電子機器は、上述した電子機器を備えることを特徴とする。本発明の電子機器の典型例は、電気光学装置を表示装置として利用した機器（例えば、パーソナルコンピュータや携帯電話機）である。もっとも、本発明に係る電気光学装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の電気光学装置を採用することができる。
【図面の簡単な説明】
【００１６】
【図１】本発明の第１実施形態に係る電気光学装置のブロック図である。
【図２】信号線駆動回路のブロック図である。
【図３】画素回路の回路図である。
【図４】電気光学装置の動作のタイミングチャートである。
【図５】初期化動作時の画素回路の状態を示す模式図である。
【図６】補償動作時の画素回路の状態を示す模式図である。
【図７】書込動作時の画素回路の状態を示す模式図である。
【図８】時刻Ｔｘにおける画素回路の状態を示す模式図である。
【図９】発光動作時の画素回路の状態を示す模式図である。
【図１０】第２実施形態に係る電気光学装置の動作のタイミングチャートである。
【図１１】時刻Ｔｘにおける画素回路の状態を示す模式図である。
【図１２】電子機器の形態（パーソナルコンピュータ）を示す斜視図である。
【図１３】電子機器の形態（携帯電話機）を示す斜視図である。
【図１４】電子機器の形態（携帯情報端末）を示す斜視図である。
【図１５】従来の画素回路の回路図である。
【発明を実施するための形態】
【００１７】
＜１．第１実施形態＞
＜１−１：電気光学装置の構成＞
図１は、本発明の第１実施形態に係る電気光学装置１００のブロック図である。電気光学装置１００は、画像を表示する表示体として各種の電子機器に搭載される発光装置である。図１に示すように、電気光学装置１００は、画素アレイ部１０と駆動回路２０と電源回路３０とを具備する。画素アレイ部１０は、平面状に配列された複数の画素回路Ｐを含んで構成される。駆動回路２０は、各画素回路Ｐを駆動することで画素アレイ部１０に画像を表示する。電源回路３０は、駆動電位ＶEL、駆動電位ＶCT、第１基準電位ＶST1、および第２基準電位ＶST2を生成して各画素回路Ｐに供給する。駆動電位ＶCTは駆動電位ＶELを下回る電位である（ＶCT＜ＶEL）。また、図３に示す駆動トランジスターＴDRの閾値電圧をＶTHとしたとき、ＶST1＜ＶEL−ＶTHであり、ＶST2＜ＶEL−ＶTHである。
【００１８】
図１に示すように、画素アレイ部１０には、Ｘ方向に延在するＭ組の配線群１２と、Ｘ方向に交差するＹ方向に延在するＮ本の信号線（信号線）１４とが形成される（Ｍ，Ｎは自然数）。複数の画素回路Ｐは、各配線群１２と各信号線１４との交差に対応して縦Ｍ行×横Ｎ列の行列状に配列される。
【００１９】
駆動回路２０は、走査線駆動回路２２と信号線駆動回路２４とを含んで構成される。信号線駆動回路２４は、各画素回路Ｐに指定された階調値（指定階調）に応じた階調電位（データ信号）ＶX[1]〜ＶX[N]を生成して各信号線１４に出力する。水平走査期間Ｈ[m]にて第ｎ列の信号線１４に供給される階調電位ＶX[n]は、第ｍ行の第ｎ列に位置する画素回路Ｐの指定階調に応じた電位に設定される。各画素回路Ｐの指定階調は、外部装置（図示略）から供給される画像信号で指示される。
【００２０】
図２は、信号線駆動回路２４のブロック図である。図２に示すように、信号線駆動回路２４は、分配回路５２と信号出力回路５４と制御回路５６とを含んで構成される。信号線駆動回路２４の実装の態様は任意であるが、例えば、信号出力回路５４と制御回路５６とを集積回路（ＩＣチップ）の形態で実装し、各画素回路Ｐとともに形成された薄膜トランジスターで分配回路５２を構成した態様が好適である。
【００２１】
分配回路５２は、各信号線１４に対応する３個のスイッチＤを含んで構成される。Ｎ個のスイッチＤは、３個のスイッチＤ[1]〜Ｄ[3]を単位としてＪ個のブロックＢ[1]〜Ｂ[J]に区分される（Ｊ＝Ｎ/３）。ブロックＢ[1]〜Ｂ[J]の区分の方法は任意であるが、例えば、表示色（例えば赤色，緑色，青色）が共通するＭ個の画素回路ＰをＹ方向に配列（ストライプ配列）した構成において、相異なる複数の表示色に対応する３列（例えば、赤色と緑色と青色との各表示色に対応する３列）に対応するように３個のスイッチＤがブロックＢ[1]〜Ｂ[J]に区分される。
【００２２】
信号出力回路５４は、Ｊ系統の階調信号Ｓ[1]〜Ｓ[J]を並列に出力する。階調信号Ｓ[j]（ｊ＝１〜Ｊ）は、ブロックＢ[j]内の３個のスイッチＤ[1]〜Ｄ[3]に対して共通に供給される。ブロックＢ[j]内の３個のスイッチＤ[1]〜Ｄ[3]の各々は、対応する信号線１４と階調信号Ｓ[j]の出力端との間に介在して両者の電気的な接続（導通／非導通）を制御する。
【００２３】
制御回路５６は、各ブロックＢ[k]内のスイッチＤ[1]〜Ｄ[3]に相当する３系統の選択信号ＳEL[1]〜ＳEL[3]を生成して出力する。選択信号ＳEL[1]〜ＳEL[3]は、ブロックＢ[1]〜Ｂ[J]の各々におけるスイッチＤ[1]〜Ｄ[3]のゲートに供給される。図４に示すように、制御回路５６は、水平走査期間Ｈ[m]内の書込期間Ｔwにて選択信号ＳEL[1]〜ＳEL[3]を順番にアクティブレベル（スイッチＤをオン状態に制御するレベル）に設定する。したがって、ブロックＢ[j]内の３個のスイッチＤ[1]〜Ｄ[3]は、各水平走査期間Ｈ[m]内にて順番にオン状態に遷移する。
【００２４】
信号出力回路５４が出力する階調信号Ｓ[j]は、選択信号ＳEL[1]〜ＳEL[3]に同期して、ブロックＢ[j]に対応する３個の画素回路Ｐの階調電位ＶX[n]（以下では、ブロックＢ[j]内のＫ個のスイッチＤ[1]〜Ｄ[3]の表記に合わせて階調電位ＶX_1〜ＶX_3と表記する）に時分割で設定される。具体的には、水平走査期間Ｈ[m]の書込期間Ｔwのうち選択信号ＳEL[k]がアクティブレベルに設定される期間内に、階調信号Ｓ[j]は、ブロックＢ[j]のスイッチＤ[1]〜Ｄ[3]に対応する信号線１４と第ｍ行の走査線１２１との交差に対応する画素回路Ｐの指定階調に応じた階調電位ＶX_1〜ＶX_3に設定される。したがって、ブロックＢ[j]に対応する３本の信号線１４には、書込期間Ｔw内に階調電位ＶX_1〜ＶX_3が時分割で順次に供給される。すなわち、分配回路５２は、１系統の階調信号Ｓ[j]を３系統の階調電位ＶX_1〜ＶX_3に分配するデマルチプレクサとして機能する。
【００２５】
図３は、各画素回路Ｐの回路図である。図３においては、第ｍ行（ｍ＝１〜Ｍ）の第ｎ列（ｎ＝１〜Ｎ）に位置する１個の画素回路Ｐが代表的に図示されている。図３に示すように、画素回路Ｐは、発光素子Ｅと、駆動トランジスターＴDRと、容量素子Ｃ１およびＣ２と、選択トランジスターＱSLと、複数のスイッチ（ＱEL，Ｒ1〜Ｒ3）とを含んで構成される。駆動トランジスターＴDR、選択トランジスターＱSLや各スイッチ（ＱEL，Ｒ1〜Ｒ3）の導電型は適宜に変更される。図１で１本の直線として図示された配線群１２は、図３に示すように、走査線１２１と発光制御線１２３と制御線１２５と制御線１２７と制御線１２９とを含んで構成される。
【００２６】
発光素子Ｅは、電位線３２と電位線３４との間の電気的な経路上に接続され、駆動電流ＩDRの電流値に応じた輝度で発光する。例えば、有機ＥＬ材料の発光層を陽極と陰極との間に介在させた有機ＥＬ素子が発光素子Ｅとして好適に採用される。電位線３２には電源回路３０から駆動電位ＶELが供給され、電位線３４には電源回路３０から駆動電位ＶCTが供給される。発光素子Ｅの陰極は電位線３４に接続される。
【００２７】
駆動トランジスターＴDRは、発光素子Ｅの陽極と電位線３２との間に電気的に接続され、自身のゲートの電位ＶGに応じた電流値の駆動電流ＩDRを供給する。駆動トランジスターＴDRと発光素子Ｅとの間には発光制御スイッチＱELが介在する。発光制御スイッチＱELは、発光素子Ｅに対する駆動電流ＩDRの供給の可否を制御するトランジスターである。第ｍ行の各画素回路Ｐにおける発光制御スイッチＱELのゲートは第ｍ行の発光制御線１２３に接続される。
【００２８】
容量素子Ｃ１は、電極ｅ1と電極ｅ2とを含んで構成される。電極ｅ2は駆動トランジスターＴDRのゲートに接続される。容量素子Ｃ２は、駆動トランジスターＴDRのゲートと電位線３２との間に介在する。選択トランジスターＱSLは、電極ｅ1と第ｎ列の信号線１４との間に介在して両者の電気的な接続（導通／非導通）を制御する。スイッチＲ1は、電極ｅ1と給電線３６との間に介在して両者の電気的な接続を制御する。給電線３６には電源回路３０から第１基準電位ＶST1が供給される。第ｍ行の各画素回路Ｐにおける選択トランジスターＱSLのゲートは、第ｍ行の走査線１２１に接続される。また、第ｍ行の各画素回路ＰにおけるスイッチＲ1のゲートは、第ｍ行の制御線１２９に接続される。
【００２９】
スイッチＲ2は、駆動トランジスターＴDRのゲートとドレインとの間に介在して両者の電気的な接続を制御する。スイッチＲ2がオン状態に遷移すると駆動トランジスターＴDRはダイオード接続され、スイッチＲ2がオフ状態に遷移するとダイオード接続は解除される。第ｍ行の各画素回路ＰにおけるスイッチＲ2のゲートは、第ｍ行の制御線１２５に接続される。
【００３０】
スイッチＲ3は、駆動トランジスターＴDRのドレインとの間に介在して両者の電気的な接続を制御する。スイッチＲ3がオン状態に遷移すると、駆動トランジスターＴDRのドレインに第２基準電位ＶST2が供給される。
【００３１】
次に、図１の走査線駆動回路２２は、複数の画素回路Ｐを行単位で選択（走査）するための走査信号ＧW[1]〜ＧW[M]を生成して各走査線１２１に出力する。図４に示すように、第ｍ行の走査線１２１に出力される走査信号ＧW[m]は、各垂直走査期間Ｆにおける第ｍ番目の水平走査期間Ｈ[m]の一部にて電位ＶHH（走査線１２１の選択を意味する電位）に設定され、水平走査期間Ｈ[m]以外の期間にて電位ＶLL（走査線１２１の非選択を意味する電位）に設定される。また、走査線駆動回路２２は、発光制御信号ＧEL[1]〜ＧEL[M]と制御信号ＧINI1[1]〜ＧINI1[M]と制御信号ＧINI2[1]〜ＧINI2[M]と制御信号ＧP[1]〜ＧP[M]を生成して出力する。図３に示すように、発光制御信号ＧEL[m]は第ｍ行の発光制御線１２３に供給され、制御信号ＧINI2 [m]は第ｍ行の制御線１２５に供給され、制御信号ＧP[m]は第ｍ行の制御線１２７に供給され、制御信号ＧINI1 [m]は第ｍ行の制御線１２９に供給される。各信号の具体的な波形については後述する。
【００３２】
＜１−２：電気光学装置の動作＞
以下に電気光学装置１００の動作を説明する。図４に示すように、初期化動作と補償動作と階調設定動作と発光動作とが、走査線駆動回路２２による選択に同期して行単位で順次に実行される。初期化動作は、駆動トランジスターＴDRのゲートの電位ＶGを初期化する動作である。補償動作は、駆動トランジスターＴDRのゲートの電位ＶGを当該駆動トランジスターＴDRの閾値電圧ＶTHに応じた電位に漸近させる動作である。書込動作は、駆動トランジスターＴDRのゲートの電位ＶGを階調電位ＶX[n]に応じた電位に設定する動作である。発光動作は、発光素子Ｅを実際に発光させる動作である。図４に示すように、初期化動作は初期化期間ＴRSにて実行され、補償動作は補償期間Ｔhにて実行され、発光動作は発光期間ＴLにて実行され、書込動作は書込期間Ｔwにて実行される。第ｍ行の第ｎ列に位置する画素回路Ｐに着目して各動作の具体的な内容を以下に説明する。
【００３３】
（１）初期化動作  
初期化期間ＴRSにおいては、図４に示すように、制御信号ＧINI1[m]と制御信号ＧINI2[m]と制御信号ＧP[m]がアクティブレベルに設定され、発光制御信号ＧEL[m]が非アクティブレベルに設定される。また、走査信号ＧW[m]は電位ＶLL（非アクティブレベル）に設定される。したがって、図５に示すように、スイッチＲ1とスイッチＲ2とスイッチＲ3とがオン状態に制御され、発光制御スイッチＱELと選択トランジスターＱSLとがオフ状態に制御される。
【００３４】
図５に示すように、容量素子Ｃ１の電極ｅ1はスイッチＲ1を介して給電線３６に接続され、容量素子Ｃ１の電極ｅ2はスイッチＲ2とスイッチＲ3とを介して給電線３５に接続される。したがって、容量素子Ｃ１の電極ｅ1の電位は第１基準電位ＶST1に初期化され、容量素子Ｃ１の電極ｅ2の電位は第２基準電位ＶST2に初期化される。
駆動トランジスターＴDRのゲートの電位ＶGは第２基準電位ＶST2に初期化される。第２基準電位ＶST2は、駆動電位ＶELよりも閾値電圧ＶTHだけ低い電位を下回るように設定される。したがって、駆動トランジスターＴDRは初期化動作でオン状態に遷移する。また、駆動トランジスターＴDRのドレインの電位もスイッチＲ3を介して第２基準電位ＶST2に初期化される。すなわち、初期化期間ＴRSの直前に駆動トランジスターＴDRのゲートやドレインに蓄積されていた電荷は初期化動作で除去（放電）される。
【００３５】
（２）補償動作  
図４に示すように補償期間Ｔhは、制御信号ＧP[m]が非アクティブとなり、且つ制御信号ＧINI2[m]がアクティブとなる期間である。同図に示す期間Ｔ1は、補償動作の典型例である。当該期間Ｔ１では、制御信号ＧP[m]と制御信号ＧINI1[m]と発光制御信号ＧEL[m]と走査信号ＧW[m]が非アクティブとなり、また、制御信号ＧINI2[m]がアクティブとなる。したがって、図６に示すように、選択トランジスターＱSLとスイッチＲ1とスイッチＲ3と発光制御スイッチＱELとがオフ状態となり、スイッチＲ2がオン状態となる。この結果、駆動トランジスターＴDRのゲートとドレインとが短絡される。初期化期間ＴRSにおいて、駆動トランジスターＴDRのゲートには第２基準電位ＶST2が供給される。第２基準電位ＶST2は、ＶST2＜ＶEL−ＶTHとなるように設定されている。したがって、駆動トランジスターＴDRのゲートの電位ＶGは、第２基準電位ＶST2から駆動電位ＶELと閾値電圧ＶTHとの差分に相当する補償電位（ＶEL−ＶTH）に経時的に漸近する。
【００３６】
（３）書込動作  
図４に示すように書込期間Ｔwは、走査信号ＧW[m]がアクティブとなり、且つ制御信号ＧINI1[m]が非アクティブとなる期間である。書込期間Ｔwでは選択信号ＳEL[1]〜ＳEL[3]が順次排他的にアクティブとなる。この結果、信号線１４には、赤色、緑色、および青色の階調を各々示す階調電位ＶX[n]が時分割で供給される。同図に示す期間Ｔ２は、書込動作の典型例である。当該期間Ｔ２では、制御信号ＧP[m]と制御信号ＧINI1[m]と発光制御信号ＧEL[m]とが非アクティブとなり、また、走査信号ＧW[m]と制御信号ＧINI2[m]がアクティブとなる。したがって、図７に示すように、スイッチＲ1とスイッチＲ3と発光制御スイッチＱELとがオフ状態となり、選択トランジスターＱSLとスイッチＲ2とがオン状態となる。この結果、階調電位ＶX[n]が選択トランジスターＱSLを介して容量素子Ｃ１の電極ｅ1に供給される。なお、期間Ｔ２においても上述した補償動作は継続しており、駆動トランジスターＴDRのゲートの電位ＶGは、駆動電位ＶELと閾値電圧ＶTHとの差分に相当する補償電位（ＶEL−ＶTH）に漸近する。
【００３７】
（４）時刻Ｔｘにおける動作  
次に、図４に示す時刻Ｔｘにおける動作について説明する。時刻Ｔｘでは、制御信号ＧP[m]と制御信号ＧINI2[m]と発光制御信号ＧEL[m]とが非アクティブとなっており、また、制御信号ＧINI1[m]がアクティブとなっている。そして、走査信号ＧW[m]がアクティブから非アクティブに遷移する。したがって、図８の（Ａ）に示す状態から（Ｂ）に示す状態に遷移する。すなわち、時刻Ｔｘにおいて選択トランジスターＱSLがオン状態からオフ状態に遷移する前後で、第１容量素子Ｃ1の電極ｅ1には第１基準電位ＶST1が供給され続ける。このため、選択トランジスターＱSLを構成するトランジスターのゲートとドレイン又はソースの間の寄生容量に起因してフィールドスルーがあったとしても、第１容量素子Ｃ1の電極ｅ1にはローインピーダンスで第１基準電位ＶST1が供給されているので、第１容量素子Ｃ1の電極ｅ1の電位は変化しない。よって、駆動トランジスターＴDRのゲートの電位ＶGも変化しない。これにより、各画素回路Ｐにおいて、選択トランジスターＱSLの寄生容量の大きさがばらついたとしても、フィールドスルーに起因する画面全体の輝度むらを抑制することができる。
【００３８】
（５）発光動作
図４に示すように発光期間ＴLは、走査信号ＧW[m]と制御信号ＧINI2[m]と制御信号ＧINI2[m]とが非アクティブとなり、制御信号ＧINI1[m]と発光制御信号ＧEL[m]とがアクティブになる。また、発光期間ＴLの開始に放電期間ＴDが設けられている。放電期間ＴDでは、制御信号ＧP[m]がアクティブとなり、放電期間ＴDが終了すると制御信号ＧP[m]は非アクティブとなる。
【００３９】
図９の（Ａ）に放電期間ＴDにおける画素回路Ｐの動作を示す。放電期間ＴDにおいては、スイッチＲ3と発光制御スイッチＱELとがオン状態となる。これにより、発光素子Ｅの寄生容量に充電されていた電荷が、発光制御スイッチＱELとスイッチＲ3とを介して放電される。これにより、１フレーム前の発光状態に応じて充電された電荷を放電させることができるので、現在のフレームで正確な階調を表示することが可能となる。
【００４０】
図９の（Ｂ）に放電期間ＴDが経過した後の発光期間ＴLにおける画素回路Ｐの動作を示す。当該期間においては、スイッチＲ1と発光制御スイッチＱELとがオン状態となり、スイッチＲ2とスイッチＲ3とがオフ状態となる。このため、駆動トランジスターＴDRのゲート電位ＶGに応じた駆動電流ＩDRが発光素子Ｅを流れ、発光素子Ｅが発光する。
このとき、図９（Ｂ）に示すようにスイッチＲ1はオン状態となっているので、容量素子Ｃ1の電極ｅ1には給電線３６から第１基準電位ＶST1がローインピーダンスで供給されている。したがって、電極ｅ1の電位は安定しており、ノイズが大きな環境であっても、ノイズによって駆動トランジスターＴDRのゲート電位ＶGが変動するのを防止することができる。
【００４１】
＜２．第２実施形態＞
第２実施形態に係る電気光学装置１００は、その動作を除いて第１実施形態の電気光学装置１００と同様である。上述した第１実施形態では、補償期間Ｔh中に書込期間Ｔwが設けられていた。このため、駆動トランジスターＴDRのゲートの電位ＶGが駆動電位ＶELと閾値電圧ＶTHとの差分に相当する補償電位（ＶEL−ＶTH）に近づくと、電位線３２から駆動トランジスターＴDRのゲートに流れ込む電流が減少する。これは、ダイオード接続された駆動トランジスターＴDRのオン抵抗が大きくなることを意味する。したがって、駆動トランジスターＴDRのゲートの電位ＶGが補償電位（ＶEL−ＶTH）に近づくと、駆動トランジスターＴDRのゲートはフローティングに近い状態となる。この状態で、階調電位ＶX[n]が選択トランジスターＱSLを介して第１容量素子Ｃ１の電極ｅ1に供給されると、駆動トランジスターＴDRのゲートの電位ＶGが変動する可能性がある。第２実施形態は、初期化期間ＴRSにおいて階調電位ＶX[n]を書き込むものである。
【００４２】
（１）初期化期間および書込み期間
図１０に第２実施形態に係る電気光学装置１００の動作を説明するためのタイミングチャートを示す。この図に示すように初期化期間ＴRSと書込期間Ｔwとが一致する。初期化期間ＴRSでは、走査信号ＧW[m]と制御信号ＧP[m]と制御信号ＧINI2[m]とがアクティブとなり、制御信号ＧINI1[m]と発光制御信号ＧEL[m]とが非アクティブになる。
図１１に初期化期間ＴRSにおける画素回路Ｐの動作を示す。この図に示すように初期化期間ＴRSでは、選択トランジスターＱSLとスイッチＲ2とスイッチＲ3とがオン状態となり、スイッチＲ1と発光制御スイッチＱELとがオフ状態となる。したがって、駆動トランジスターのゲートにはスイッチＲ2とスイッチＲ3とを介して第２基準電位ＶST2が供給される。一方、階調電位ＶX[n]が選択トランジスターＱSLを介して第１容量素子Ｃ１の電極ｅ1に供給される。上述したように駆動トランジスターＴDRのゲートにはローインピーダンスで第２基準電位ＶST2が供給されているので、階調電位ＶX[n]を書き込んでも駆動トランジスターＴDRのゲートの電位ＶGの変動を抑制できる。
この結果、各画素回路Ｐに時分割で書き込まれる赤色（Ｒ）の階調電位ＶX[n]、緑色（Ｇ）の階調電位ＶX[n]、青色（Ｂ）の階調電位ＶX[n]や、選択信号ＳEL[1]〜ＳEL[3]がアクティブなるオンタイミング差に依らず駆動トランジスターＴDRのゲートの電位ＶGの変動を抑制することができる。よって、正確な階調を表示することが可能となる。
【００４３】
（２）時刻Ｔｘにおける動作
図１０に示す時刻Ｔｘにおける動作について説明する。時刻Ｔｘでは、制御信号ＧP[m]と制御信号ＧINI2[m]と発光制御信号ＧEL[m]とが非アクティブとなっており、また、制御信号ＧINI1[m]がアクティブとなっている。そして、走査信号ＧW[m]がアクティブから非アクティブに遷移する。したがって、図８を参照して第１実施形態で説明した動作と同様に
時刻Ｔｘにおいて選択トランジスターＱSLがオン状態からオフ状態に遷移する前後で、第１容量素子Ｃ1の電極ｅ1には第１基準電位ＶST1が供給され続ける。このため、選択トランジスターＱSLのフィールドスルーがあったとしても、第１容量素子Ｃ1の電極ｅ1の電位は変化せず、駆動トランジスターＴDRのゲートの電位ＶGも変化しない。これにより、各画素回路Ｐにおいて、選択トランジスターＱSLの寄生容量の大きさがばらついたとしても、フィールドスルーに起因する画面全体の輝度むらを抑制することができる。
【００４４】
また、書込期間Ｔwが終了した後の補償期間Ｔhにおいて、スイッチＲ3をオフ状態として給電線３５と駆動トランジスターＴDRのゲートとを電気的に開放するとともに、スイッチＲ2をオン状態として駆動トランジスターＴDRをダイオード接続する。これにより、駆動トランジスターＴDRの閾値電圧ＶTHが補償される。なお、発光動作は、第１実施形態と同様である。
【００４５】
以上、説明したように第２実施形態の電気光学装置１００によれば、フィールドスルーに起因する画面全体の輝度むらを抑制し、且つ各画素回路Ｐに時分割で書き込まれる階調電位ＶX[n]やそれらのタイミング差に依らず、正確な階調を表示することが可能となる。
【００４６】
＜３．変形例＞
以上の各形態には様々な変形が加えられる。具体的な変形の態様を以下に例示する。以下の例示から任意に選択された２以上の態様は併合され得る。
【００４７】
（１）変形例１  
以上の各形態においては、放電期間ＴDを設けて、発光制御スイッチＱELとスイッチＲ3とをオン状態としたが、必ずしも放電期間ＴDを設ける必要はない。
【００４８】
（２）変形例２  
上述した各形態では、選択トランジスターＱSLがオン状態となる一部の期間を書込期間Ｔwに割り当てたが、本発明はこれに限定されるのもではなく、選択トランジスターＱSLがオン状態となる全部の期間を書込期間Ｔwに割り当てもよい。
【００４９】
（３）変形例３  
有機ＥＬ素子は発光素子Ｅの例示に過ぎない。例えば、無機ＥＬ素子やＬＥＤ（Light Emitting Diode）素子などの発光素子を利用した電気光学装置にも以上の各形態と同様に本発明が適用される。すなわち、本発明における発光素子は、電気エネルギの供給で発光する電気光学素子（典型的には電流駆動型の自発光素子）として包括される。
【００５０】
（４）変形例４  
上述した各形態では、第１基準電位ＶST1と第２基準電位ＶST2とを異なる電位として説明したが、本発明はこれに限定されるものではなく、第１基準電位ＶST1と第２基準電位ＶST2とが等しいものであってもよい。この場合には給電線の本数を削減できるとともに電源回路３０を簡素化できる。
【００５１】
＜４．応用例＞
次に、以上の態様に係る電気光学装置１００を利用した電子機器について説明する。図１２ないし図１４には、電気光学装置１００を表示装置として採用した電子機器の形態が図示されている。
【００５２】
図１２は、電気光学装置１００を採用したモバイル型のパーソナルコンピュータの構成を示す斜視図である。パーソナルコンピュータ２０００は、各種の画像を表示する電気光学装置１００と、電源スイッチ２００１やキーボード２００２が設置された本体部２０１０とを具備する。
【００５３】
図１３は、電気光学装置１００を適用した携帯電話機の構成を示す斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００５４】
図１４は、電気光学装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する電気光学装置１００とを備える。電源スイッチ４００２を操作すると、住所録やスケジュール帳といった様々な情報が電気光学装置１００に表示される。
【００５５】
なお、本発明に係る電気光学装置が適用される電子機器としては、図１２から図１４に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、電子写真方式の画像形成装置において露光により感光体ドラムに潜像を形成する露光装置としても本発明の電気光学装置は利用される。
【符号の説明】
【００５６】
１００……電気光学装置、１０……画素アレイ部、１２……配線群、１４……信号線、２０……駆動回路、２２……走査線駆動回路、２４……信号線駆動回路、３０……電源回路、３２，３４……電位線、３５，３６……給電線、５２……分配回路、５６……制御回路、１００……電気光学装置、１２１……走査線、１２３……発光制御線、１２５……制御線、１２７……制御線、１２９……制御線、Ｄ（Ｄ[1]〜Ｄ[3]）……スイッチ、Ｂ[1]〜Ｂ[J]……ブロック、５４……信号出力回路、Ｐ……画素回路、ＶST1……第１基準電位、ＶST2……第２基準電位。
【図１】
2013057701.tif 000003
【図２】
2013057701.tif 000004
【図３】
2013057701.tif 000005
【図４】
2013057701.tif 000006
【図５】
2013057701.tif 000007
【図６】
2013057701.tif 000008
【図７】
2013057701.tif 000009
【図８】
2013057701.tif 000010
【図９】
2013057701.tif 000011
【図１０】
2013057701.tif 000012
【図１１】
2013057701.tif 000013
【図１２】
2013057701.tif 000014
【図１３】
2013057701.tif 000015
【図１４】
2013057701.tif 000016
【図１５】
2013057701.tif 000017